(57)【要約】【課題】弾性体を配設し易い、ボールペンのキャップを提供する。【解決手段】本発明は、前記課題を解決するために、ボールを回転自在に抱持したボールペンチップのチップ先端部を密閉する密閉部材を配設するボールペンのキャップにおいて、前記密閉部材が、表層部と、該表層部の硬度より低い弾性体からなる内層部から構成した６面体以上の多面体からなるとともに、前記多面体の各面に窪み部を形成し、前記窪み部の底壁が、前記内層部に達することを特徴とする。【選択図】        図１
2010125641.tif 000002
【特許請求の範囲】
【請求項１】
ボールを回転自在に抱持したボールペンチップのチップ先端部を密閉する密閉部材を配設するボールペンのキャップにおいて、前記密閉部材が、表層部と、該表層部の硬度より低い弾性体からなる内層部から構成した６面体以上の多面体からなるとともに、前記多面体の各面に窪み部を形成し、前記窪み部の底壁が、前記内層部に達することを特徴とするボールペンのキャップ。
【請求項２】
前記表層部が、合成樹脂からなることを特徴とする請求項１に記載のボールペンのキャップ。
【発明の詳細な説明】
【技術分野】
【０００１】
本発明は、ボールを回転自在に抱持したボールペンチップのチップ先端部を密閉する弾性体を配設するボールペンのキャップに関する。
【背景技術】
【０００２】
従来から、インキ収容筒や軸筒の内部に低粘度の水性インキや剪断減粘性を付与したインキを直詰めにしたボールペンでは、軸筒にキャップを装着した状態でも、内圧の上昇やチップ先端部を下向きにしておくとチップ先端部からインキが漏れてしまう。そのため、キャップの内孔にゴム等からなる弾性体を配設し、キャップを装着した際に、チップ先端部を弾性体に圧接し、弾性体を圧縮変形させてチップ先端部を密封することにより、前記インキ漏れを防止する筆記具のキャップは知られている。
【０００３】
こうしたチップ先端部を密閉する弾性体としては、実公平５−３３４６号公報「筆記具のキャップ」で開示されている球状の弾性体や、実用新案登録第２５６６６６４号公報「塗布具」で開示されている、チップ先端部と当接する面と反対側に窪みを有する、縦断面が略Ｈ字形状であり、且つチップ先端部との当接面が平坦状及び球状の弾性体等が知られている。また、特開平１０−３１５６８５号公報「筆記具のキャップ」では、弾性体の底面に窪み部を形成した弾性体が開示されている。
【特許文献１】「実公平５−３３４６号公報」
【特許文献２】「実用新案登録第２５６６６６４号公報」
【特許文献３】「特開平１０−３１５６８５号公報」
【発明の開示】
【発明が解決しようとする課題】
【０００４】
しかし、従来の弾性体において、特許文献１のような球状の弾性体は、方向性がないため、組立性において優れているが、チップ先端部を弾性体に圧接し、弾性体の圧縮変形のみによって、チップ先端部を密閉しているので、キャップをしたままの状態で長期保存すると弾性体が変形した状態を維持してしまうため、元の形状に戻りにくくなり、次にキャップをする時にチップ先端部を密閉しにくかった。
【０００５】
また、特許文献２のような当接面が平坦状の弾性体は、チップ先端部との当接部が平坦状であるため、急激にチップ先端部を密閉すると、弾性体とチップ先端部との間の空気が、ボールとチップ先端部の内壁との間から進入する、いわゆる空気の呑み込み現象が発生する問題があった
【０００６】
また、特許文献３は、弾性体の底面に窪み部を形成しているため、チップ先端部と弾性体とが徐々に密閉し、前述した空気の呑み込み現象が発生することを抑制できるが、窪み部をチップ先端側に向ける等、弾性体の配設に方向性が生じるので、組立性が低下する。
【０００７】
本発明は上記問題を鑑み、密閉部材を配設し易い、ボールペンのキャップを提供するものである。
【課題を解決するための手段】
【０００８】
前記目的を達成するために本発明では、ボールを回転自在に抱持したボールペンチップのチップ先端部を密閉する密閉部材を配設するボールペンのキャップにおいて、前記密閉部材が、表層部と、該表層部の硬度より低い弾性体からなる内層部から構成した６面体以上の多面体からなるとともに、前記多面体の各面に窪み部を形成し、前記窪み部の底壁が、前記内層部に達することを特徴とする。
【０００９】
また、前記表層部が、合成樹脂からなることを特徴とする。
【発明の効果】
【００１０】
本発明は、前述した構成なので、密閉部材を配設し易い、ボールペンのキャップを提供することができた。
【発明を実施するための最良の形態】
【００１１】
以下、図面を参照して本発明の実施の形態を説明する。尚、図面中同じ部材、同じ部品については同じ番号を付してある。
【００１２】
図１から図３に示す、第１の実施の形態におけるボールペンのキャップ１は、キャップ本体２内に突起部２ｂが設けてあり、キャップ本体２の先端部には頭冠３を装着してある。また、頭冠３内には、リブ３ａを形成してあり、このリブ３ａに密閉部材４を圧入装着してある。
【００１３】
密閉部材４は、６面体からなる多面体で形成してあり、多面体の各面の略中央部に、チップ先端部１０の少なくとも一部が進入する窪み部４ｃを形成してある。具体的には、密閉部材４は、合成樹脂からなる表層部４ａと、表層部４ａより硬度の低い弾性体からなる内層部４ｂの積層構造を２色成形により形成し、その後、各面に、底壁が略円弧状の窪み部４ｃを、窪み部４ｃの底壁が内層部４ｂに達するように削りとって形成してある。
【００１４】
また、ボールペンのキャップ１は、図３に示すように、前軸５と後軸６とを連結した軸筒本体内に、筆記具用インキ（図示せず）を直詰めしたインキ収容筒８の先端に、ボールを回転自在に抱持したボールペンチップ１０を、チップホルダー９を介して装着したボールペンレフィルを配設したボールペンと、本発明のボールペンのキャップ１を着脱自在に嵌合して用いることができる。尚、前軸５にはグリップ部材７を装着してある。
【００１５】
軸筒５の先端部に、キャップ本体２を嵌合すると、先ず、ボールペンチップ１０の先端部が、密閉部材４の円弧状の窪み部４ｃに進入し、内層部４ｂに当接する。さらに嵌合が進むと、ボールペンチップ１０の先端部が内層部４ｂに圧接し、内層部４ｂが変形することによりボールペンチップ１０の先端部を密閉する。この密閉部材４によるボールペンチップ１０の先端部の密閉と同時に、キャップ本体２の内壁に設けた突部２ｂが、前軸５の外壁に設けた突起部５ａを乗り越し嵌合して、軸筒本体にキャップ１を着脱自在に装着することができる。
【００１６】
密閉部材４を６面体からなる多面体で形成することで、キャップ内への配設による方向性が球体には劣るものの、１方向又は２方向の配設方向からなる他の従来の密閉部材に比べ、挿入方向が６方向となるため、組立性が向上する。
【００１７】
また、密閉部材４は、硬度の高い表層部４ａと、硬度の低い内層部４ｂの積層構造とし、窪み部４ｃの底壁が、内層部４ｂに達するように形成することで、頭冠３内のリブ３ａに圧設する部分の硬度が高いため、密閉部材４の配設時に、変形して曲がった状態等、所望する位置に配設できないことを防止し、且つ容易に外れにくい。また、ボールペンチップ１０の先端部に当接する部分を弾性体からなる内層部４ｂとし、硬度を低くすることで、変形しやすく、ボールペンチップ１０の先端部を密閉しやすくすることができるので好ましい。
【００１８】
また、ボールペンチップ１０の先端部に当接する窪み部４ｃを円弧状とし、ボールペンチップ１０の先端部と当接する内層部４ｂの当接部を円弧状とすることで、急激にボールペンチップ１０の先端部を覆うことがなく、前軸５とボールペンのキャップ１の嵌合に伴う、ボールペンチップ１０内への空気の呑み込みが発生しにくい。
【００１９】
本実施の形態では、便宜上、ボールペンのキャップ１と軸筒５の嵌合方法として突部２ａと突起部５ａの乗り越え嵌合を用いたが、凹凸嵌合、圧入嵌合等、一般的に知られているキャップ１と軸筒５の嵌合方法を用いることができる。また、キャップ１と軸筒５を完全に装着した状態で、密閉部材４の内層部４ｂが圧縮変形し、ボールペンチップ１０の先端部を密封することができれば、ボールペンチップ１０の先端部と密閉部材４の接触時期は特に限定されない。
【００２０】
また、便宜上、密閉部材４を６面体からなる多面体で形成してあるが、８面体や１０、１２面体等、特に限定するものではないが、個々の面の面積、具体的には、多面体の各面の面積をボールペンチップの最大断面積よりも大きくし、６〜１０面体とすることが最も好ましい。
【００２１】
また、便宜上、キャップ本体の先端部に頭冠を装着し、頭冠内に設けたリブに密閉部材を装着してあるが、キャップ本体内に直接、密閉部材を装着してもよい。
【００２２】
本発明における内層部に用いる弾性体は、弾性変形可能な天然ゴム、シリコーンゴム、ブチルゴム、フッ素ゴム、塩化ビニル樹脂、ブタジエンゴム、ウレタンゴム、ポリエチレン樹脂、その他合成ゴム等、一般的に知られている弾性体のなかから、チップ先端部の材質や構造、インキの成分等に応じて適宜選定すればよい。
【００２３】
尚、密閉部材に用いる内層部の硬度は、特に限定されるものではないが、ＪＩＳ  Ａが６０より大きいと、変形し難く、密閉性が低下するので、ＪＩＳ  Ａで６０以下とすることが好ましい。
【００２４】
表層部に用いる合成樹脂としては、ポリカーボネートを材料として形成される場合に限らず、例えば、ポリスチレン、スチレン・アクリロニトリル共重合体、ＡＢＳ、ポリアセタール、ポリエステル、ポリプロピレン等、筆記具の筒体として一般的に知られている合成樹脂のなかから、適宜選定すればよい。
【００２５】
また、表層部には、前述した合成樹脂の他に、内層部より硬度の高い弾性体を用いることができるが、表層部として合成樹脂を用いることにより、組立性、成形性が著しく向上するので、表層部には合成樹脂を用いることが最も好ましい。
【産業上の利用可能性】
【００２６】
本発明のボールペンのキャップは、油性ボールペン用インキ、水性ボールペン用インキ、剪断減粘性インキ等、インキの種類に限定されることなく、キャップ式ボールペンとして広く実施可能である。
【図面の簡単な説明】
【００２７】
【図１】第１の実施の形態におけるボールペンのキャップを示す縦断面図である。
【図２】図１における密閉部材の拡大縦断面図である。
【図３】図１におけるキャップを軸筒に装着した状態を示す図である。
【符号の説明】
【００２８】
１  ボールペンのキャップ
２  キャップ本体
２ａ  凸部
３  頭冠
４  密閉部材
４ａ  表層部
４ｂ  内層部
４ｃ  窪み部
５  前軸
６  後軸
８  インキ収容筒
１０  ボールペンチップ
【図１】
2010125641.tif 000003
【図２】
2010125641.tif 000004
【図３】
2010125641.tif 000005